(57)【特許請求の範囲】
【請求項１】
内周面が雌ねじ型に形成されたステータと、
前記ステータに挿通可能であり、雄ねじ型の軸体からなるロータと、
を備えた一軸偏心ねじポンプであって、
前記ステータの外周側の第１位置と前記ステータを圧縮する第２位置との間を移動可能な外装体と、
前記外装体を、前記第１位置と前記第２位置との間で移動させる移動手段と、
前記外装部を保持する保持部材と、
を備え、
前記外装体は、複数の外装部で構成され、前記第２位置まで移動することにより、隣り合う外装部同士の側部がそれぞれ当接して環状に連なり、それ以上の移動を阻止され、
前記保持部材は弾性材料からなり、前記移動手段により前記外装部を移動させる場合、両部材の間に介在して前記外装部を付勢することを特徴とする一軸偏心ねじポンプ。
【請求項２】
内周面が雌ねじ型に形成されたステータと、
前記ステータに挿通可能であり、雄ねじ型の軸体からなるロータと、
を備えた一軸偏心ねじポンプであって、
前記ステータの外周側の第１位置と前記ステータを圧縮する第２位置との間を移動可能な外装体と、
前記外装体を、前記第１位置と前記第２位置との間で移動させる移動手段と、
を備え、
前記移動手段は、前記ステータを覆うケーシング内に配置され、内側に弾性変形して前記外装体を移動させるスリーブを備えたことを特徴とする一軸偏心ねじポンプ。
【請求項３】
前記外装体は、複数の外装部で構成され、前記第２位置まで移動することにより、隣り合う外装部同士の側部がそれぞれ当接して環状に連なり、それ以上の移動を阻止されることを特徴とする請求項２に記載の一軸偏心ねじポンプ。
【請求項４】
前記外装部を保持する保持部材を備え、
前記保持部材は弾性材料からなり、前記移動手段により前記外装部を移動させる場合、両部材の間に介在して前記外装部を付勢することを特徴とする請求項３に記載の一軸偏心ねじポンプ。
【請求項５】
前記移動手段による前記外装体の移動は流体圧に基づいて行うことを特徴とする請求項１から４のいずれか１項に記載の一軸偏心ねじポンプ。
【請求項６】
前記移動手段による前記外装体の移動は押圧部材により行うことを特徴とする請求項１から４のいずれか１項に記載の一軸偏心ねじポンプ。
【請求項７】
前記押圧部材はバネにより駆動可能としたことを特徴とする請求項６に記載の一軸偏心ねじポンプ。
【請求項８】
前記押圧部材はソレノイドにより駆動可能としたことを特徴とする請求項６に記載の一軸偏心ねじポンプ。
【発明の詳細な説明】
【技術分野】
【０００１】
本発明は、一軸偏心ねじポンプに関するものである。
【背景技術】
【０００２】
一般に、一軸偏心ねじポンプでは、液温や気温の変化に応じてステータが膨張及び収縮するため、それらの変化に対応した適切な状態で流動物を搬送するのが難しいことがある。例えば、CIP（Cleaning In Place：定置洗浄)やSIP（Sterilizing In Place：定置滅菌）では高温の蒸気や熱水を流動させるため、この問題が発生する。また、ステータが摩耗してロータに対する締め代が小さくなってしまうと、流動物を適切に搬送することができなくなるが、前述のようにステータが大きく膨張すると摩耗しやすく、早期にステータ又はロータを新規なものに交換する必要が生じてしまう。
【０００３】
従来、このような問題に対処可能な一軸偏心ねじポンプとして、ケーシング内に弾性体からなるステータを収容し、ステータ内にロータを挿通させた状態で、ケーシングとステータの間に形成した空間内の空気圧を調整し、ステータを内側に弾性変形させることにより、ロータとの接触圧を一定に維持するようにしたものが公知である（例えば、特許文献１参照）。
【０００４】
しかしながら、ロータに対するステータの接触圧を一定に維持するために空間内をどの程度の圧力とするのかは、実際には制御が困難である。圧力が大きいと、例えば、図９に示すように、ロータ１０１とステータ１０２の間に形成される流動物搬送用の空間であるキャビティ１０３が小さくなり所望の吐出量が得られない。またロータ１０１とステータ１０２の間の摩擦力が大きくなり、ロータ１０１を回転させるためのトルクが増大したり、ステータ１０２が早期に摩耗したりする。一方、圧力が小さいと、ロータ１０１を回転させても流動物を十分に流動させることができず、所望の吐出圧で吐出することは不可能である。
【０００５】
またステータ１０２に亀裂等の損傷が生じた場合、ステータ１０２に対して直接空気圧を作用させているため、損傷部分から空気が漏れることになれば、ロータ１０１に対してステータ１０２を所望の締付圧で押し付けることができない。しかも、損傷部分を介して流動物に空気が混入したり、流動物が外部に流出したりすることもある。流動物（特に、食品）に空気が混入するのは品質上問題があり、逆に周囲に流出すれば、その流出箇所が汚染されてしまう。
【先行技術文献】
【特許文献】
【０００６】
【特許文献１】特開昭６０−１７３３８１号公報
【発明の概要】
【発明が解決しようとする課題】
【０００７】
本発明は、ステータによるロータへの接触圧を安定させ、所望の吐出圧で流動物を吐出させることのできる一軸偏心ねじポンプを提供することを課題とする。
【課題を解決するための手段】
【０００８】
本発明は、前記課題を解決するための手段として、
内周面が雌ねじ型に形成されたステータと、
前記ステータに挿通可能であり、雄ねじ型の軸体からなるロータと、
を備えた一軸偏心ねじポンプであって、
前記ステータの外周側の第１位置と前記ステータを圧縮する第２位置との間を移動可能な外装体と、
前記外装体を、前記第１位置と前記第２位置との間で移動させる移動手段と、
を備えたことを特徴とする一軸偏心ねじポンプを提供する。
【０００９】
この構成により、移動手段によって外装体の位置を変更するだけで、ロータに対するステータの接触圧を変更することができる。したがって、ステータによる締付力を安定させて、ステータの摩耗、ロータの回転トルクの増大、あるいは、流動物の吐出圧の変動を防止することが可能となる。
【００１０】
前記外装体は、複数の外装部で構成され、前記第２位置まで移動することにより、隣り合う外装部同士の側部がそれぞれ当接して環状に連なり、それ以上の移動を阻止されるのが好ましい。
【００１１】
この構成により、外装部が第２位置を超えてステータを押し込むことがない。したがって、ステータが必要以上に押し込まれて、ステータの摩耗、ロータの回転トルクの増大、あるいは、流動物の吐出圧の変動が発生することを確実に防止することができる。
【００１２】
前記外装部を保持する保持部材を備え、
前記保持部材は弾性材料からなり、前記移動手段により前記外装部を移動させる場合、両部材の間に介在して前記外装部を付勢するのが好ましい。
【００１３】
この構成により、移動手段が、弾性を有する保持部材を介して間接的に外装体を移動させることになる。したがって、ステータからロータに対して無理な接触圧が作用しにくくなり、より一層良好な締付状態を得ることが可能となる。
【００１４】
前記移動手段は、前記ステータを覆うケーシング内に配置され、内側に弾性変形して前記外装体を移動させるスリーブを備えるようにすればよい。
【００１５】
前記移動手段による前記外装体の移動は流体圧に基づいて行うようにすればよい。
【００１６】
この構成により、外装体に対してパスカルの原理により一様に力を作用させることができる。したがって、部分的に力が集中して外装体が傾く等によりステータの変形量が偏る等の不具合の発生を防止することができる。
【００１７】
前記移動手段による前記外装体の移動は流体圧に基づいて行うようにしてもよい。
【００１８】
前記移動手段による前記外装体の移動は押圧部材により行うようにしてもよい。
【００１９】
この場合、前記押圧部材はバネにより駆動可能とすればよい。
【００２０】
また、前記押圧部材はソレノイドにより駆動可能としてもよい。
【発明の効果】
【００２１】
本発明によれば、外装体を移動させる位置によってステータによるロータの締付力を設定するようにしたので、この締付力を所望の値に安定させることできる。したがって、ステータの摩耗、ロータの回転トルクの増大、あるいは、流動物の吐出圧の変動を確実に防止することが可能となる。
【図面の簡単な説明】
【００２２】
【図１】第１実施形態に係る一軸偏心ねじポンプの概略断面図である。
【図２】図１の部分拡大図である。
【図３】図２のＡ−Ａ線断面図である。
【図４】第２実施形態に係る一軸偏心ねじポンプの部分断面図である。
【図５】図４に示す外装体及び巻付体のみの断面図である。
【図６】他の実施形態に係る一軸偏心ねじポンプの部分断面図である。
【図７】他の実施形態に係る一軸偏心ねじポンプの部分断面図である。
【図８】他の実施形態に係る一軸偏心ねじポンプの部分断面図である。
【図９】従来技術に係る一軸偏心ねじポンプのステータ及びロータの断面図である。
【発明を実施するための形態】
【００２３】
以下、本発明に係る実施形態を添付図面に従って説明する。なお、以下の説明は、本質的に例示に過ぎず、本発明、その適用物、あるいは、その用途を制限することを意図するものではない。また、図面は模式的なものであり、各寸法の比率等は現実のものとは相違している。
【００２４】
（第１実施形態）
図１は、第１実施形態に係る一軸偏心ねじポンプを示す。この一軸偏心ねじポンプは、ケーシング１の一端側に設けた駆動機（図示せず）と、他端側に設けたポンプ本体２とを備える。
【００２５】
ケーシング１は金属材料を筒状としたもので、カップリングロッド３が収容されている。カップリングロッド３の一端部はカップリング４に接続され、駆動機からの動力が伝達されるようになっている。またケーシング１の一端側外周面には接続管５が接続され、図示しないタンク等から流動物を供給可能となっている。
【００２６】
ポンプ本体２は、ステータケーシング６内に、スリーブ７、外装体８、ステータ９、及び、ロータ１０を収容し、ステータ９の端部にエンドスタッド１１を装着したものである。
【００２７】
ステータケーシング６は、ケーシング１の一端部に鍔部同士をボルトとナットにより連結されている。またステータケーシング６の他端部にはエンドスタッド１１が、同じく鍔部同士をボルトとナットにより連結されている。これら連結部分は図示しないパッキン等によって封止されている。ステータケーシング６の下方側中央部には注入ポート１２が接続され、上方側中央部には注出ポート１３が接続されている。注入ポート１２に接続される配管途中には、ステータケーシング６側から順に、第１開閉弁１４、制御弁１５、第１圧力計１６ａ、及び、レギュレータ（調圧器）１６ｂが設けられている。これにより、供給される制御流体（気体でもよいが、液体に代表される非圧縮性流体であるのが好ましい。）を、レギュレータ１６ｂで圧力を調整し、開放位置に切り替えた制御弁１５、及び、開放した第１開閉弁１４から注入ポート１２を介して後述する密封空間２１内へと注入することができるようになっている。注出ポート１３に接続される配管途中には、ステータケーシング６側から順に、第２圧力計１８及び第２開閉弁１７が設けられている。第２圧力計１８は、密封空間２１内の制御流体の圧力を検出する。検出圧力は、図示しない制御装置に入力される。制御装置は、入力された検出圧力に基づいて、注入ポート１２を介して注入される制御流体の流量や圧力を調整し、第２開閉弁１７を開閉することにより密封空間２１内の制御流体を注出することができるようになっている。
【００２８】
スリーブ７は、弾性材料を筒状としたものである。スリーブ７は、一端開口部をステータケーシング６の一端側内周面と第１クランプ１９の外周面との間に挟持され、他端開口部をステータケーシング６の他端側内周面と第２クランプ２０の外周面との間に挟持される。このように、第１クランプ１９と第２クランプ２０とによって簡単に、スリーブ７とステータケーシング６との間に環状の密封空間２１を形成することができる。密封空間２１には、制御流体が注入ポート１２を介して注入され、注出ポート１３を介して注出される。図２中、制御流体が注入されることにより最も変形したスリーブ７の最大変形状態を２点鎖線で示し、変形前の初期状態を実線で示す。なお、スリーブ７は本発明に係る移動手段を構成し、注入ポート１２から密封空間２１内に制御流体を注入することにより内方へと膨らみ、外装体８を押圧する。
【００２９】
外装体８は、硬質なステンレス等の金属材料あるいは合成樹脂材料からなる剛体であり、図３に示すように、第１外装部２２と第２外装部２３とで構成されている。第１外装部２２と第２外装部２３とで、外周面が略円筒状、内周面が略１０角形となる筒状をなす。第１外装部２２と第２外装部２３の対向面同士は位置決めピン２４で位置決めされている。位置決めピン２４は、一端側に雄ねじが形成されている。図３では、２箇所を位置決めピン２４（第１位置決めピン２４ａ及び第２位置決めピン２４ｂ）で位置決めされている。第１位置決めピン２４ａは一端部を第１外装部２２に螺合され、他端部を第２外装部２３の第２位置決め孔２３ａに摺動可能に配置される。第２位置決めピン２４ｂは一端部を第２外装部２３に螺合され、他端部を第１外装部２２の第１位置決め孔２２ａに摺動可能に配置される。これにより、第１外装部２２と第２外装部２３とは位置決めピン２４によってガイドされた状態で接離する。この場合、第１外装部２２と第２外装部２３とは、ステータ９を加圧していない第１位置と、対向面同士を互いに当接させて１０角形となる第２位置との間を移動可能である。第１外装部２２と第２外装部２３とは第１位置から第２位置に向かって接近する際、ステータ９の外表面に対して内面側を面接触させる。そして、第１外装部２２と第２外装部２３は剛体であり、ステータ９の全体を一様に内方へと圧縮する。したがって、ロータ１０に対するステータ９の接触圧が軸心方向でばらついて脈動等が発生するといった不具合はない。また、第２位置を超えては接近しないため、ロータ１０に対するステータ９の接触圧はこれ以上高められることはない。
【００３０】
ステータ９は、適宜搬送する材料に応じて選択されるゴム、樹脂等の弾性材料（例えば、シリコンゴム、フッ素ゴム（流動物がシリコンオイルを含有する化粧品等で使用される））を筒状（例えば、円筒状）に形成したものである。ステータ９の中心孔９ａは、その内周面がｎ条で単段あるいは多段の雌ねじ形状とされている。
【００３１】
ロータ１０は、ステンレス等の金属材料からなる軸体をｎ−１条で単段あるいは多段の雄ねじ形状としたものである。ロータ１０は、ステータ９の中心孔９ａ内に配置され、その長手方向につながった搬送空間９ｂを形成する。ロータ１０の一端部はケーシング側のカップリングロッド３に連結され、駆動機（図示せず）からの駆動力により、ステータ９の内側で自転すると共にステータ９の内周面に沿って公転する。つまり、ロータ１０はステータ９の中心孔９ａ内で偏心回転することにより、搬送空間９ｂ内の材料を長手方向へと搬送することができるようになっている。
【００３２】
続いて、前記構成からなる一軸偏心ねじポンプの組立方法について説明する。
【００３３】
まず、ステータ９の一端部に第２クランプ２０を圧入等により一体化する。そして、ステータ９の略１０角形となった外面に第１外装部２２と第２外装部２３の各内面が当接するように組み合わせる。このとき、第１外装部２２と第２外装部２３とは位置決めピン２４にて位置合わせする。続いて、ステータ９に組み付けた第１外装部２２と第２外装部２３の外周にスリーブ７を軸心方向にスライドさせながら装着する。第２クランプ２０を一体化したのとは反対側の端部に第１クランプ１９を圧入等により一体化する。
【００３４】
このようにして組み立てられた各部材（組立品）では、第１外装部２２と第２外装部２３の外周面にはスリーブ７が密着し、両端部には第１クランプ１９と第２クランプ２０とが一体化されている。したがって、スリーブ７の内側は密閉され、たとえステータ９に亀裂等が発生し、内部の流動物が漏洩したとしても、スリーブ７からさらに外側に流出することがない。また前記組立品は、ケーシング１の一端部に第１クランプ１９を介して連結する。そして、ケーシング１の他端側すなわち駆動機側からステータ９の中心孔９ａ内にロータ１０を挿入する。さらにスリーブ７の外周にステータケーシング６を装着し、組立作業を完了する。ステータケーシング６の装着では、第１クランプ１９と第２クランプ２０とによってスリーブ７とステータケーシング６との間の気密性が維持され、密封空間２１を形成することができる。したがって、密封空間２１に注入する制御流体がスリーブ７の内側へと流入することがない。またスリーブの内側だけでなく、密封空間２１によっても気密性を保つことができるので、たとえステータ９に亀裂等が発生したとしても流動物が外部に漏れ出る心配はない。
【００３５】
次に、前記構成からなる一軸偏心ねじポンプの動作について説明する。
【００３６】
予め、密封空間２１への制御流体の注入量と、流動物の種類と、ロータ１０の回転速度と、吐出圧との関係を設定しておく。例えば、密封空間２１への制御流体の注入量を最低値としてスリーブ７を初期状態に位置させる。そして、流動物の種類毎に、ロータ１０の回転速度と吐出圧の関係をデータテーブルとして記憶させる。また、密封空間２１への制御流体の注入量を段階的に変更して同様な処理を行い、データテーブルを完成する。
【００３７】
タンク等から流動物を吐出させる場合、まず、第１開閉弁１４を開放する等により、ステータケーシング６とスリーブ７とによって形成される密封空間２１内に制御流体を注入する。密封空間２１への制御流体の注入量は、後述するロータ１０の回転速度に応じて所望の吐出圧で吐出できるように、前記データテーブルを参照して決定する。この場合、制御流体が非圧縮性流体であれば、注入量と吐出圧との関係を変動のない安定したものとすることができる点で好ましい。
【００３８】
吐出圧を上昇させるのであれば、密封空間２１内への制御流体の注入量を増大させ、スリーブ７を介して第１外装部２２と第２外装部２３とを互いに接近させる。これにより、ステータ９が加圧され、ロータ１０との接触圧が上昇する。一方、吐出圧を抑制するのであれば、制御流体の注入量を抑制し、第１外装部２２と第２外装部２３とがそれほど接近しないようにする。これにより、ロータ１０に対するステータ９の接触圧が抑制される。
【００３９】
続いて、図示しない駆動機を駆動し、カップリング４及びカップリングロッド３を介してロータ１０を、予め設定した回転速度で回転させる。このときの回転速度は、単位時間当たりの吐出量を考慮して決定される。これにより、ステータ９の内周面とロータ１０の外周面とによって形成される搬送空間９ｂがこれらの長手方向へと移動する。タンクから吐出された流動物が搬送空間９ｂに吸い込まれ、エンドスタッド１１へと搬送される。エンドスタッド１１に至った流動物はさらに他の場所へと搬送される。
【００４０】
このように、前記構成の一軸偏心ねじポンプによれば、次のような利点が得られる。
（１）ロータ１０に対するステータ９の接触圧が調整されているため、希望する吐出圧で流動物をエンドスタッド１１から吐出させることができる。
（２）スリーブ７から外装体８に作用させる力は、密封空間２１に注入する制御流体の注入量で決まっており、安定している。またステータ９に対して外装体８は面接触し、一様に押圧力を作用させる。このため、ロータ１０が回転時に受ける摩擦抵抗も設定した接触圧によるものだけであり、変動しにくい。したがって、ロータ１０を回転させる際に回転トルクが増大することもない。
（３）ロータ１０の回転によりステータ９に対して一時的に過大な力が作用したとしても、ステータ９には密封空間２１への制御流体の注入量によって決まる一定の圧力が作用しているだけである。このため、ステータ９は外径側へと柔軟に変形し、損傷に至ることはない。しかも、ステータ９はスリーブ７を介して押圧されており、たとえステータ９に亀裂等が形成されたとしても、その周囲はスリーブ７によって覆われているので、外部からスリーブ７内に外気等が侵入したり、あるいは、流動物が周囲に漏洩して汚染したりすることはない。
（４）吸込側が低圧、吐出側が高圧となるため、密封空間２１に制御流体を注入すると、ステータ９が吐出側よりも吸込側で大きく圧縮（又は吐出側で拡張）され易くなるが、外装体８の存在により、吸込側での圧縮（又は吐出側での拡張）度合いが大きくなり過ぎることを防止することができる。つまり、全体として一様に圧縮することができ、流動物を搬送する際の圧縮度合いが大きく変動することがなくなる。
【００４１】
なお、第１クランプ１９又は第２クランプ２０には、スリーブ７とステータ９の間の空間と外部とを連通する貫通孔を形成するようにしてもよい。これによれば、密封空間２１内に制御流体を流入した際、貫通孔を介して、第１外装部２２や第２外装部２３と、スリーブ７やステータ９との間に介在する空気を排出することができる。この結果、スリーブ７により外装体８を介してステータ９に対して均等に押圧力を作用させることが可能となる。またステータ９に亀裂等の損傷が発生した場合、ステータ９内部から外部に漏れだした流動物が、貫通孔を介して流出するため、ステータ９の異常を早期に発見することができる。またスリーブ７が損傷した場合、あるいは、スリーブ７の組み付け方に不具合がある場合、貫通孔を介して制御流体が流出するため、これらの異常も早期に発見することができる。
【００４２】
また、密封空間２１内への制御流体の注入量を抑制する場合、スリーブ７による第１外装部２２と第２外装部２３の押圧力が小さくて（例えば、押圧力を０として）、ステータ９が圧縮されないようにしてもよい。これにより、定置洗浄や定置滅菌等で、ステータ９が膨張したとしても、第１外装部２２と第２外装部２３は外方へと移動自在な状態となっているので、ステータ８がロータ１０に圧接してその回転を阻止する等の不具合を発生させることがない。
【００４３】
（第２実施形態）
図４は、第２実施形態に係る一軸偏心ねじポンプを示す。この一軸偏心ねじポンプでは、前記第１実施形態とは、次の点で相違する。なお、以下の説明では、第１実施形態と同一部分については、同一符号を付してその説明を省略する。
【００４４】
ステータ９の外周には、外装体８（一対の第１外装部２８及び第２外装部２９）と、これらをステータ９の周囲に位置決めするために巻き付けられる巻付体２５とが設けられている。この巻付体２５は本発明の保持部材の一例である。そして、ステータケーシング６とその内径側に配置したスリーブ７とによって形成される密封空間２１内に制御流体を注入してスリーブ７を内径側に膨らませることにより、巻付体２５、第１外装部２８及び第２外装部２９を介してステータ９が内径側へと加圧される。
【００４５】
ステータケーシング６の下部中央には注入ポート２６が接続されている。注入ポート２６を介して制御流体を、ステータケーシング６とスリーブ７とによって区画される密封空間２１に注入できるようになっている。また、ステータケーシング６の上部中央には注出ポート２７が接続され、制御流体を注出できるようになっている。また注出ポート２７には圧力計が設けられ、密封空間２１内の制御流体の圧力が検出される。圧力計で検出される圧力は、図示しない制御装置に入力され、注入ポート２６を介して注入される制御流体の流量や圧力を制御するために利用される。
【００４６】
第１外装部２８及び第２外装部２９は、前記第１実施形態に係るものとは異なり板状に形成されている。これら外装部２８、２９は、図５に示すように、ステータ９の外周に配置された状態では、ステータ９の外面形状に沿う略１０角形となる。但し、第１外装部２８と第２外装部２９の両側縁同士には隙間が形成されている。そして、第１外装部２８と第２外装部２９を押圧して、ステータ９を内側へと弾性変形させるように接近させることができるようになっている。但し、両側縁が互いに当接すれば、それ以上移動させることができないため、ステータ９が必要以上に圧縮されることもない。
【００４７】
巻付体２５は、耐熱プラスチック等で構成され、外装体８の周囲に巻き付け、ステータ９に対して第１外装部２８及び第２外装部２９を仮固定して位置ずれするのを防止するために利用される。すなわち、第１外装部２８と第２外装部２９とが周方向に位置ずれし、両者の一側縁部が互いに重なってしまうことを防止する。第１外装部２８及び第２外装部２９は、ステータ９の外面形状に沿って配置した状態で、外面が略１０角形となる。巻付体２５は、このような多角形状であっても、巻き付けることができ、ステータ９に対して第１外装部２８及び第２外装部２９を簡単に仮固定することができる。
【００４８】
前記構成の一軸偏心ねじポンプでは、ステータ９への第１外装部２８と第２外装部２９の組付作業を、それらの周囲に巻付体２５を巻き付けるだけの簡単かつ安価な構成により行うことができる。外装部同士を高精度に位置合わせする必要もない。また、ロータ１０を回転して流動物を搬送する場合、予め希望する吐出圧で搬送できるように、密封空間２１内に制御流体を注入しておく。これにより、スリーブ７が内方へと膨出し、巻付体２５を介して外装体８によりステータ９が押圧される。そして、ステータ９によってロータ１０を所望の接触圧で押圧することができ、所定の吐出圧で吐出させることが可能となるのは、前記第１実施形態と同様である。
【００４９】
前記構成の一軸偏心ねじポンプによれば、外装体８の構成を簡略化して、ステータ９に沿わせた状態で巻付体２５を巻き付けるだけで仮固定することができる。したがって、作業性を向上させることができ、しかも安価に製作することが可能となる。
【００５０】
なお、本発明は、前記実施形態に記載された構成に限定されるものではなく、種々の変更が可能である。
【００５１】
例えば、前記実施形態では、密封空間２１への制御流体の注入量は、ロータ１０の回転速度に応じて所望の吐出圧で吐出できるように決定したが、ステータ９の摩耗状態や、気温や流動物の液温変化に伴う吐出量や吐出圧の変化に合わせて決定してもよい。前者の場合、予め実験等により、使用開始からの経過時間に基づいて、流動物の吐出量（又は吐出圧）が所望の値となるように、密封空間２１への制御流体の注入量を決定すればよい。後者の場合、予め実験等により、気温や流動物の液温に基づいて、流動物の吐出量（又は吐出圧）が所望の値となるように、密封空間２１への制御流体の注入量を決定すればよい。
【００５２】
また、前記実施形態では、外装体８を第１外装部２２と第２外装部２３の２分割で構成する例について説明したが、３分割以上で構成することも可能である。図６は、外装体８を断面１／４円の４つの外装部８ａ〜８ｄからなる４分割で構成する例を示す。各外装部８ａ〜８ｄは、径方向（内径側及び外径側）に移動可能であり、最も内径側に移動することにより隣り合う外装部同士の側部端面が互いに当接し、環状に連なった状態となる。ここでは言及しなかったが、前記実施形態と同様に、外装部が径方向に往復移動する際にガイドする位置決めピンを設けるのが好ましい。
【００５３】
また、前記実施形態では、外装体８を密封空間２１内に流入させた制御流体の流体圧によって移動させるようにしたが、図７や図８に示すように、外装体８を押圧部材３０により移動させるようにしてもよい。
【００５４】
図７では、第１外装部２２を上半部、第２外装部２３を下半部に配置している。そして、第１外装部２２を上下方向に移動可能とし、第２外装部２３を位置ずれしないように支持する。第１外装部２２は、一端側に鍔状の押圧部３０ａを有し、スプリング３１によって下方側へと付勢された棒状の押圧部材３０によって押圧されている。
【００５５】
この場合、スプリング３１の付勢力は、流動物により内圧が予め設定した値（設定値）よりも大きくなった場合、第１外装部２２が上方に移動できるような値としておけばよい。設定値としては、例えば、希望する吐出圧よりも若干大きい値としておき、吐出圧の変動を吸収できるようにすればよい。
【００５６】
また、スプリング３１に加えて、空気圧等によりスプリング３１の付勢力に抗して第１外装部２２を上方へと移動させる駆動機構を備えるようにしてもよい。これによれば、スプリング３１を設けるだけの場合とは異なり、前記実施形態と同様に、外装体８に作用させる力の調整をきめ細かく行うことが可能となる。
【００５７】
図８では、図７と同様な構造で、押圧部材３０を可動鉄心とし、その外周にソレノイド３２が配置されている。ソレノイド３２を励磁、消磁することにより押圧部材３０を往復移動させ、励磁させる際に導通する電流値を大きくすることにより押圧部材３０による押圧力を増大させる。
【００５８】
また、図７及び図８では、押圧部材３０で第１外装部２２のみを押圧するようにしたが、第２外装部２３も他の押圧部材で押圧するようにしてもよく、外装体８の分割数に応じて押圧部材を増やすこともできる。
【符号の説明】
【００５９】
１…ケーシング
２…ポンプ本体
３…カップリングロッド
４…カップリング
５…接続管
６…ステータケーシング
７…スリーブ（移動手段）
８…外装体
９…ステータ
９ａ…中心孔
９ｂ…搬送空間
１０…ロータ
１１…エンドスタッド
１２…注入ポート
１３…注出ポート
１４…第１開閉弁
１５…制御弁
１６…第１圧力計
１７…第２開閉弁
１８…第２圧力計
１９…第１クランプ
２０…第２クランプ
２１…密封空間
２２…第１外装部
２３…第２外装部
２４…位置決めピン
２５…巻付体（保持部材）
２６…注入ポート
２７…注出ポート
２８…第１外装部
２９…第２外装部
【図１】
0006421372.tif 000002
【図２】
0006421372.tif 000003
【図３】
0006421372.tif 000004
【図４】
0006421372.tif 000005
【図５】
0006421372.tif 000006
【図６】
0006421372.tif 000007
【図７】
0006421372.tif 000008
【図８】
0006421372.tif 000009
【図９】
0006421372.tif 000010